(57)【要約】【課題】外装開閉カバーの操作性の低下やヘルムホルツ共鳴器の連通部の露出を抑制しつつ、外装開閉カバーを設けた面から音が漏れ出ることを抑制することができる画像形成装置を提供する。【解決手段】ヘルムホルツ共鳴器を用いた吸音装置６００を有する画像形成装置である複写機５００で、装置本体に対して開閉自在な外装開閉カバーである前面開閉カバー１０１を開放することによって外側の面であるインナーおもて面が露出する内装カバーであるインナーカバー１０２の内側の面であるインナー裏面に吸音装置６００を設ける。【選択図】図１
2015169764.tif 000002
【特許請求の範囲】
【請求項１】
ヘルムホルツ共鳴器を用いた吸音装置を有する画像形成装置において、
装置本体に対して開閉自在な外装開閉カバーを開放することによって外側の面が露出する内装カバーの内側の面に上記吸音装置を設けたことを特徴とする画像形成装置。
【請求項２】
請求項１の画像形成装置において、
上記内装カバーの内側の面から装置内側に対して突き出し、上記ヘルムホルツ共鳴器の空洞部の壁面を形成する壁部を該内装カバーに設け、該壁部の突き出し方向の先端側を覆う蓋部材を装着することで、上記吸音装置を形成することを特徴とする画像形成装置。
【請求項３】
請求項１または２の何れかに記載の画像形成装置において、
上記内装カバーの内側の空間における上記ヘルムホルツ共鳴器の空洞部の壁面を形成する壁部よりも外側となる空間と、該内装カバーの外側の空間とを連通するように該内装カバーを貫通する内装カバー貫通穴を有することを特徴とする画像形成装置。
【請求項４】
請求項３に記載の画像形成装置において、
上記内装カバーの内側の面に複数の上記吸音装置を備え、
複数の該吸音装置のうちの隣り合う二つの該吸音装置の壁部が隙間を有するように配置され、上記内装カバー貫通穴はこの隙間と該内装カバーの外側の空間とを連通することを特徴とする画像形成装置。
【発明の詳細な説明】
【技術分野】
【０００１】
本発明は、ヘルムホルツ共鳴器を用いた吸音装置を有する画像形成装置に関するものである。
【背景技術】
【０００２】
電子写真方式の画像形成装置では、画像形成時に各種駆動部の駆動音やポリゴンミラーが回転するときの音などが発生する。画像形成時に発生する音を吸音することが可能な構成として、特許文献１及び２には、ヘルムホルツ共鳴器を用いた吸音装置を有する画像形成装置が記載されている。
ヘルムホルツ共鳴器は、ある程度の容積を持った空洞部と、この空洞部と外部とを連通する連通部とによって形成される。そして、空洞部の体積を「Ｖ」、連通部の開口面積を「Ｓ」、連通部の連通方向の長さを「Ｈ」とし、音速を「ｃ」とすると、ヘルムホルツ共鳴器を用いた吸音装置によって吸音される音の周波数「ｆ」は、以下の（１）式によって求められる。
【数１】
2015169764.tif 000003
（Δｒ：開口端補正）
【０００３】
特許文献１に記載の画像形成装置では、装置の筐体に固定された外装カバーを二重構造として、二重構造を形成する二枚の外装部材に挟まれた空間をリブで仕切ることで、上述したヘルムホルツ共鳴器の空洞部を形成している。さらに、二枚の外装部材のうちの内側の外装部材に穴を設けることで上述したヘルムホルツ共鳴器の連通部を形成し、装置の内側から生じる音を吸音できる構成を備えている。
【発明の概要】
【発明が解決しようとする課題】
【０００４】
画像形成装置では、トナーボトルやプロセスカートリッジ等の消耗品を使用者が交換するときに交換対象の消耗品を露出させるように、装置本体に対して開閉自在な外装開閉カバーを備えるものがある。このような外装開閉カバーは、画像形成装置の側面のうち、画像形成装置の操作部を操作する使用者と向かい合う側面に設けられていることが多い。そして、使用者と向かい合う側面から装置内部の音が漏れ出ると、使用者に不快感を与える騒音となり易い。
【０００５】
画像形成装置における外装開閉カバーを設けた面から音が漏れ出ることを抑制する構成として、外装カバーの一部を構成する外装開閉カバーに上記特許文献１と同様の吸音装置を設けることが考えられる。しかし、外装開閉カバーを二重構造として上述したヘルムホルツ共鳴器の空洞部を形成すると、外装開閉カバーが重くなり、開閉動作の操作性の低下に繋がる。また、二重構造とした外装開閉カバーの内側の外装部材に穴を設けて上述したヘルムホルツ共鳴器の連通部を形成すると、外装開閉カバーを開放したときに、連通部が露出してしまう。この連通部が露出すると、空洞部や連通部に異物が入ることによる吸音効果の低下や、使用者が接触して連通部が破損することによる吸音効果の低下が生じるおそれがある。このため、外装開閉カバーに上記特許文献１と同様の吸音装置を設けることは望ましくない。
【０００６】
本発明は以上の問題点に鑑みなされたものであり、その目的は、以下の通りである。すなわち、外装開閉カバーの操作性の低下やヘルムホルツ共鳴器の連通部の露出を抑制しつつ、外装開閉カバーを設けた面から音が漏れ出ることを抑制することができる画像形成装置を提供することである。
【課題を解決するための手段】
【０００７】
上記目的を達成するために、請求項１の発明は、ヘルムホルツ共鳴器を用いた吸音装置を有する画像形成装置において、装置本体に対して開閉自在な外装開閉カバーを開放することによって外側の面が露出する内装カバーの内側の面に上記吸音装置を設けたことを特徴とするものである。
【発明の効果】
【０００８】
本発明によれば、外装開閉カバーの操作性の低下やヘルムホルツ共鳴器の連通部の露出を抑制しつつ、外装開閉カバーを設けた面から音が漏れ出ることを抑制することができるという優れた効果がある。
【図面の簡単な説明】
【０００９】
【図１】本発明に係る複写機における吸音装置の取り付け位置の説明図、（ａ）は前面開閉カバーを開放してインナーカバーが露出した状態の斜視説明図、（ｂ）は、前面インナーカバーにおける吸音装置の取り付け位置の説明図。
【図２】本発明の一実施形態に係る複写機の概略構成図。
【図３】同複写機における感光体近傍の概略構成図。
【図４】図１（ａ）に示す状態から左側面外装カバーを取り外した複写機の斜視図。
【図５】図４の状態の複写機について、前面インナーカバーが固定される前面筐体の内側の面を視認可能な角度から見た斜視説明図。
【図６】吸音装置の拡大斜視図。
【図７】吸音装置を前面インナーカバーに取り付けた状態の概略断面図。
【図８】ヘルムホルツ共鳴器を用いた吸音装置の模式図。
【図９】吸音装置をインナーカバーと一体に設けた構成の説明図。
【図１０】吸音装置を、インナーカバーと一体に形成させたリブと吸音カバー部材とによって形成する構成の説明図。
【図１１】複数の吸音装置を配置したインナーカバーに貫通口を設けた構成の説明図、（ａ）は、インナーカバーとレーザー書込装置との位置関係を模式的に示した上面図、（ｂ）は、貫通口を設けたインナーカバーの正面図。
【図１２】図１１に示す構成でレーザー書込装置のガラス部材を清掃する状態を模式的に示した上面図。
【発明を実施するための形態】
【００１０】
以下、本発明を適用した画像形成装置として、電子写真方式の複写機（以下、単に「複写機５００」という。）の一実施形態について説明する。本実施形態では、複写機５００として、モノクロ画像形成装置を例に挙げて説明するが、本発明は、公知のカラー画像形成装置についても同様に適用することができる。
【００１１】
まず、複写機５００の構成について説明する。
図２は、本実施形態に係る複写機５００全体の概略構成図である。図２において、複写機５００の複写機本体１００の上に画像読取装置２００が取り付けられ、複写機本体１００は記録紙バンク３００上に載置されている。画像読取装置２００の上には、背面側（図中紙面奥側）を支点にして回動自在に構成された自動原稿搬送装置４００が取り付けられている。
【００１２】
複写機本体１００の内部には、潜像担持体としてドラム状の感光体１０が設けられている。図３は、感光体１０の近傍を拡大した概略構成図である。感光体１０の周りには図３に示すように、除電ランプ９、帯電ローラを用いた帯電装置１１、現像装置１２、転写ユニット１３、感光体クリーニングブレード８を有したクリーニング装置１４が配置されている。現像装置１２は、トナーとして、重合法により製造した重合トナーを用い、その重合トナーを現像剤担持体としての現像ローラ１２１を用いて感光体１０上の静電潜像に付着させて、これを可視像化する。
【００１３】
転写ユニット１３は、第一ベルト張架ローラ１５及び第二ベルト張架ローラ１６との二つのローラ部材に掛け回された転写ベルト１７を備えており、この転写ベルト１７は、転写位置Ｂで感光体１０の周面に押し当てられている。
【００１４】
記録紙Ｐが分離した後の転写ベルト１７上に残った残留トナーや紙粉等の異物は、転写ベルトクリーニング部Ｃに設けられた、転写ベルト１７を介して第一ベルト張架ローラ１５に対して当接したクリーニングブレード１８によって掻き落とされる。
【００１５】
また、複写機本体１００には、帯電装置１１及びクリーニング装置１４の図中左側に、現像装置１２に新しいトナーを補給するトナー補給装置２０が設けられている。
【００１６】
さらに複写機本体１００には、記録紙バンク３００の記録紙カセット６１から送り出された記録紙Ｐを転写位置Ｂを経て排出スタック部３９まで搬送する記録紙搬送装置６０が設けられている。この記録紙搬送装置６０は、供給路Ｒ１または手差し供給路Ｒ２、及び、記録紙搬送路Ｒに沿って、記録紙Ｐを搬送する。記録紙搬送路Ｒ上には、転写位置Ｂに対して記録紙搬送方向の上流側にレジストローラ対２１が設けられている。
【００１７】
一方、転写位置Ｂに対して記録紙搬送路Ｒの記録紙搬送方向下流側には、熱定着装置２２が設けられている。この熱定着装置２２には、加熱部材である加熱ローラ３０と加圧部材である加圧ローラ３２との間に記録紙Ｐを挟み込んで加熱加圧定着を行う。
【００１８】
熱定着装置２２の更に記録紙搬送方向下流側には、排出分岐爪３４、排出ローラ３５、第一加圧ローラ３６、第二加圧ローラ３７及びコシ付ローラ３８が設けられている。また、熱定着装置２２を経た画像形成済みの記録紙Ｐをスタックする排出スタック部３９も設けてられている。
【００１９】
また、複写機本体１００には、図中右側に、スイッチバック装置４２が設けられている。このスイッチバック装置４２は、記録紙搬送路Ｒの排出分岐爪３４が配置された位置から分岐した反転路Ｒ３と、この反転路Ｒ３を通ってきた記録紙Ｐを再び記録紙搬送路Ｒのレジストローラ対２１の位置まで導く再搬送路Ｒ４とに沿って記録紙Ｐを搬送する。反転路Ｒ３にはスイッチバックローラ対４３が設けられており、再搬送路Ｒ４には、複数の記録紙搬送ローラ対６６が設けられている。
【００２０】
図２に示すように、複写機本体１００には、現像装置１２の図中左側に、レーザー書込装置４７が設けられている。このレーザー書込装置４７は、図示しないレーザー光源、走査用の回転多面鏡であるポリゴンミラー４８、ポリゴンモータ４９、及び、図示しないｆθレンズ等の走査光学系を備えている。
【００２１】
また、画像読取装置２００は、光源５３、複数のミラー５４、結像用光学レンズ５５及びＣＣＤイメージセンサなどのイメージセンサ５６等を備えており、その上面にはコンタクトガラス５７が設けられている。
また、自動原稿搬送装置４００には、図示しない原稿セット台が設けられており、原稿の排出位置には、図示しない原稿スタック台が設けられている。自動原稿搬送装置４００は、不図示の複数の原稿搬送ローラを備えており、この原稿搬送ローラによって、原稿は、原稿セット台から画像読取装置２００のコンタクトガラス５７上の読取位置を経て不図示の原稿スタック台まで搬送される。
【００２２】
記録紙バンク３００には、内部に、記録材である紙やＯＨＰフィルム等の記録紙Ｐを収納する記録紙カセット６１が複数重ねて設けられている。各記録紙カセット６１には、それぞれ呼出ローラ６２、供給ローラ６３、分離ローラ６４が設けられている。記録紙カセット６１の図中右側には、複写機本体１００の記録紙搬送路Ｒへと通じる上述した供給路Ｒ１が形成されている。この供給路Ｒ１にも、記録紙Ｐを搬送するいくつかの記録紙搬送ローラ対６６が設けられている。
【００２３】
複写機本体１００には、図２中の右側に、手差し給紙部６８が設けられている。この手差し給紙部６８には、手差しトレイ６７が開閉自在に設けられており、その手差しトレイ６７上にセットした記録紙Ｐを記録紙搬送路Ｒへと導く上述した手差し供給路Ｒ２が形成されている。この手差し給紙部６８にも、記録紙カセット６１と同様に、呼出ローラ６２、供給ローラ６３及び分離ローラ６４が設けられている。
【００２４】
次に、複写機５００の動作について説明する。
複写機５００を用いてコピーをとるとき、まず、図示しないメインスイッチをオンするとともに、自動原稿搬送装置４００の原稿セット台に原稿をセットする。ブック原稿のような場合には、自動原稿搬送装置４００を開いて画像読取装置２００のコンタクトガラス５７上に直接原稿をセットし、自動原稿搬送装置４００を閉じてそれで押える。
【００２５】
その後、図示しないスタートスイッチを押すと、自動原稿搬送装置４００に原稿をセットしたときは、その原稿を原稿搬送ローラにより原稿搬送路を通してコンタクトガラス５７上へと移動させてから画像読取装置２００を駆動する。原稿内容を読み取って原稿スタック台上に排出する。一方、コンタクトガラス５７上に直接原稿をセットしたときは、直ちに画像読取装置２００を駆動して原稿内容を読み取る。
原稿内容を読み取る際、画像読取装置２００は、光源５３をコンタクトガラス５７に沿って移動させながら、その光源５３からの光をコンタクトガラス５７上の原稿面に照射する。そして、その反射光を複数のミラー５４で結像用光学レンズ５５まで案内してイメージセンサ５６に入れ、そのイメージセンサ５６で原稿内容を読み取る。
【００２６】
複写機５００では、原稿内容の読み取りと同時に、図示しない感光体駆動モータによって感光体１０を回転させる。そして、まず、帯電装置１１により感光体１０の表面を例えば−１０００［Ｖ］前後に一様に帯電する。次いで上述の画像読取装置２００で読み取った原稿内容に応じてレーザー書込装置４７から感光体１０にレーザー光を照射してレーザー書込みを行い、感光体１０の表面に静電潜像を形成する。なお、レーザー光が照射された部分（潜像部）の表面電位は例えば０［Ｖ］〜−２００［Ｖ］となる。その後、その静電潜像に現像装置１２でトナーを付着させてこれを可視像化する。
【００２７】
複写機５００では、スタートスイッチを押したと同時に、記録紙バンク３００が備える複数の記録紙カセット６１のうち選択サイズに対応するものから、呼出ローラ６２により記録紙Ｐを送り出する。そして、送り出された記録紙Ｐを供給ローラ６３及び分離ローラ６４で一枚ずつ分離して、その一枚を供給路Ｒ１へ案内し、記録紙搬送ローラ対６６で記録紙搬送路Ｒへと導く。記録紙搬送路Ｒへ搬送された記録紙Ｐは、レジストローラ対２１に突き当たって止められる。
【００２８】
なお、手差し給紙部６８を使う場合、その手差しトレイ６７を開けてこれに記録紙Ｐをセットする。この場合も、その記録紙Ｐは、呼出ローラ６２、供給ローラ６３及び分離ローラ６４によって一枚だけ手差し供給路Ｒ２へ搬送され、記録紙搬送ローラ対６６で記録紙搬送路Ｒへと導かれ、レジストローラ対２１に突き当たって止められる。
このようにして、レジストローラ対２１に止められた記録紙Ｐは、上述した感光体１０の可視像化したトナー像の先端が転写位置Ｂへ進入するタイミングを合わせて回転を開始するレジストローラ対２１によって、その転写位置Ｂへ送り込まれる。
【００２９】
転写位置Ｂへと送り込まれた記録紙Ｐは、転写ユニット１３により感光体１０上のトナー像が転写され、その表面にトナー像を担持する。転写後の感光体１０は、その表面に残留した残留トナーがクリーニング装置１４で除去され、除電ランプ９により感光体１０上の残留電位も除去される。残留電位が除去されることで、表面電位が０［Ｖ］〜−１５０［Ｖ］の基準電位に平均化され、帯電装置１１からはじまる次の画像形成に備える。
【００３０】
一方、トナー像を担持した記録紙Ｐは、転写ベルト１７により搬送されて熱定着装置２２に入る。そして、加熱ローラ３０と加圧ローラ３２との間を搬送されながら熱と圧力とが加えられて、記録紙Ｐ上のトナー像が定着する。その後、記録紙Ｐは、排出ローラ３５、第一加圧ローラ３６、第二加圧ローラ３７及びコシ付ローラ３８により、コシを付けられ、排出スタック部３９上に排出され、そこにスタックされる。
【００３１】
なお、記録紙Ｐの両面に画像を形成する場合には、排出分岐爪３４を切り替え、記録紙Ｐの片面にトナー像を転写して定着した後、この記録紙Ｐを記録紙搬送路Ｒから反転路Ｒ３に入れる。反転路Ｒ３に入れた記録紙Ｐは、記録紙搬送ローラ対６６で搬送してスイッチバック位置４４へ入れた後、スイッチバックローラ対４３でスイッチバックし、今度は再搬送路Ｒ４に入れ、記録紙搬送ローラ対６６で再び記録紙搬送路Ｒに導く。そして、再搬送路Ｒ４を通過した記録紙Ｐの反対面にも上述と同様にしてトナー像を転写する。
【００３２】
次に、本発明の特徴部について説明する。
図１は、複写機５００における吸音装置６００の取り付け位置の説明図である。図１（ａ）は、複写機５００の前面開閉カバー１０１を開放してインナーカバー１０２が露出した状態の斜視説明図であり、図１（ｂ）は、インナーカバー１０２における吸音装置６００の取り付け位置の説明図である。
前面開閉カバー１０１は、図１（ａ）中の矢印αで示すように、複写機５００本体に対して開閉自在となっている。また、インナーカバー１０２はねじ止めによって複写機５００の筐体に固定されており、ねじを外すことにより複写機５００から取り外すことができる。
【００３３】
図１（ａ）に示す複写機５００は、自動原稿搬送装置４００と画像読取装置２００の内部の光学系とは取り外した状態である。また、外装カバーである前面開閉カバー１０１を開放することで、内装カバーであるインナーカバー１０２が露出している。さらに、トナー補給装置２０が備える不図示のトナーボトルが抜かれた状態であり、インナーカバー１０２におけるトナーボトルが挿入される部分であるボトルセット穴２０ａが開口した状態となっている。また、複写機５００における前面開閉カバー１０１の下方には記録紙カセット６１を引き出すための取っ手部を備えた記録紙カセット外装カバー６１ａが配置されている。
【００３４】
図１（ａ）に示すように、複写機５００にはトナーボトル等の消耗品の交換やメンテナンスのため開閉可能な外装開閉カバーである前面開閉カバー１０１が、装置の使用者が操作し易い位置に設けてある。そして、図１（ａ）に示すように、前面開閉カバー１０１を開放することで露出される部分には、装置内部の使用者が接触するべきではない部分に使用者が触ることができないように、インナーカバー１０２が設けられている。
【００３５】
図４は、図１（ａ）に示す状態から左側面外装カバー１０３を取り外して、左側面筐体５２０が露出した複写機５００の斜視図である。
インナーカバー１０２は、レーザー書込装置４７等の複写機５００の内部のユニットの交換性や保守作業のしやすさを考慮して、幾つかに分割する構成としてもよい。図４に示す例では、前面上部インナーカバー１０２ａと前面下部インナーカバー１０２ｂとの二つに分割する構成となっており、書込みユニットであるレーザー書込装置４７近傍の前面下部インナーカバー１０２ｂが他の部分と別部品となっている。
【００３６】
図４に示す例では、インナーカバー１０２は二部品となっているが、メンテナンス性や交換頻度などを考慮している場合、一部品で構成したとしても特に問題ではない。また、吸音の対象とするユニットはレーザー書込装置４７に限るものでなく、どの音源でも良い。
【００３７】
図５は、図４の状態の複写機５００について、インナーカバー１０２の内側に設けられ、インナーカバー１０２が固定される前面筐体５１０の内側の面を視認可能な角度から見た斜視説明図である。
図５に示すように、複写機５００は、前面の内側のレーザー書込装置４７と対向する位置に、ヘルムホルツ共鳴器を用いた吸音装置６００を備える。
図４及び図５に示すように、レーザー書込装置４７を保持する書込みユニット保持部材である書込装置保持フレーム４７０は、その前側端部が前面筐体５１０に固定され、その後側端部が後面筐体５３０に固定されている。
【００３８】
図１（ｂ）に示すように、インナーカバー１０２は、その内側の面に吸音装置設置部１６０を備える。そして、図１（ｂ）中の矢印βで示すように吸音装置６００を吸音装置設置部１６０に取り付けて固定し、インナーカバー１０２を前面筐体５１０に固定する。これにより、図５に示すように、前面筐体５１０に形成された開口部である吸音装置設置用開口部５１０ａから吸音装置６００が内側に突き出る状態となる。
【００３９】
図６は、吸音装置６００の拡大斜視図であり、図７は、吸音装置６００をインナーカバー１０２に取り付けた状態の概略断面図である。吸音装置６００は、ヘルムホルツ共鳴器を用いた吸音装置であり、図６及び図７に示すように、吸音本体部材６１０、吸音カバー部材６２０及び吸音キャップ部材６３０との三つの部材からなる。吸音カバー部材６２０はカバー固定ねじ６４０によって吸音本体部材６１０に固定され、吸音本体部材６１０は、本体固定ねじ６５０によってインナーカバー１０２に固定される。
【００４０】
図８は、ヘルムホルツ共鳴器を用いた吸音装置６００の模式図である。
図８に示すように、ヘルムホルツ共鳴器は、入り口が狭まった容器のような形状であり、ある程度の体積を有する空洞部６０１と、それよりも小さい連通部６０３とによって構成され、連通部６０３に入ってくる特定の周波数の音を吸音するする。
空洞部６０１の体積を「Ｖ」、連通部６０３における開口部６０２の開口面積を「Ｓ」、連通部６０３の長さを「Ｈ」、音速を「ｃ」とし、吸音装置６００での吸音周波数を「ｆ」とすると、以下の（１）式が成り立つ。
【００４１】
【数２】
2015169764.tif 000004
【００４２】
（１）式における「Δｒ」は開口端補正であり、一般に連通部６０３の断面が円形のときの半径を「ｒ」としたときに、「Δｒ＝０．６ｒ」を用いる。
（１）式に示すように、吸音装置６００によって吸音する音の周波数は、空洞部６０１の体積Ｖ、連通部６０３の長さＨ及び連通部６０３の開口面積Ｓによって求めることができる。
【００４３】
複写機５００では、各種ローラに回転駆動を伝達する駆動モータの駆動音や、各種ローラ等の移動部材の移動音、レーザー書込装置４７のポリゴンミラー４８の回転音等の様々な音が発生する。このような音が複写機５００の外部に伝達し、周辺の人に不快感を与える騒音となることがある。このような騒音となり得る音のうち外部への伝達を抑制したい音の周波数に合わせて吸音装置６００を形成することで、騒音となり得る音を吸音装置６００で吸音することができる。
【００４４】
図１及び図５に示すように、本実施形態の複写機５００は、インナーカバー１０２の内側にヘルムホルツ共鳴器を用いた吸音装置６００を設置した場合の一例である。騒音の音源となり得る装置のうち、レーザー書込装置４７を対象に吸音効果を得ようとした場合、図５に示すように、吸音を行う対象の近傍に吸音装置６００を設置するのが最も効果的である。
【００４５】
ヘルムホルツ共鳴器を用いた吸音装置６００で、複写機５００の前方、すなわち、使用者が立つ位置に向かう音に対する吸音効果を得るためには、複写機５００の前側の面を形成する部材の内側に吸音装置６００を設けることが望ましい。
しかし、前側の面を形成する部材のうち、前面開閉カバー１０１に吸音装置６００を設けると、前面開閉カバー１０１の重量が重くなり、使用者の開閉動作の際の操作性が低下する。また、前面開閉カバー１０１に吸音装置６００を設けると、前面開閉カバー１０１における装置内部側に向けてヘルムホルツ共鳴器の連通部６０３が向くため、前面開閉カバー１０１を開放したときに連通部６０３が露出してしまう。連通部６０３が露出すると、吸音装置６００の中に異物が入ったり、使用者が吸音装置６００に触れることで破損が生じたりすることで、吸音装置６００の吸音効果が低下するおそれがある。
【００４６】
このような問題に対して、複写機５００では、図１及び図５に示すように、前面開閉カバー１０１を開放することによって外側の面が露出するインナーカバー１０２の内側の面に吸音装置６００を設けている。
インナーカバー１０２に吸音装置６００を設けているため、複写機５００の前面開閉カバー１０１を設けた側面側に吸音装置６００を設ける構成であっても、前面開閉カバー１０１の重量に変化はなく、使用者の開閉動作の際の操作性を維持することができる。
また、インナーカバー１０２の内側の面に吸音装置６００を設けているため、前面開閉カバー１０１を開放したときに吸音装置６００の連通部６０３が露出することがなく、連通部６０３が露出することに起因する上述した問題の発生を防止できる。具体的には、連通部６０３を介して吸音装置６００の中に異物が入ったり、使用者が吸音装置６００に触れることで破損が生じたりすることを防止でき、吸音装置６００の吸音効果を持続させることができる。
【００４７】
そして、インナーカバー１０２の内側の面に吸音装置６００を設けることで、使用者が立つ位置に向かう音に対する吸音効果を得ることができ、使用者に不快感を与える騒音の発生を抑制できる。
【００４８】
また、吸音しようとする対象の音の周波数によっては、空洞部６０１の体積が大きくなるため、前面開閉カバー１０１に吸音装置６００を設けると、前面開閉カバー１０１のレイアウトスペースが大きくなり、複写機５００が大型化するおそれがある。これに対して、インナーカバー１０２の内側に吸音装置６００を設ける構成では、複写機５００内の余っているスペースを有効利用できるため、吸音装置６００を備える複写機５００の小型化に繋がる。
【００４９】
特許文献２には、外装カバーの内側にヘルムホルツ共鳴器を用いる吸音装置を備える構成が記載されているが、外装カバーの内側の画像形成装置の筐体自体に吸音装置を形成している点で本実施形態の複写機５００と異なる。
【００５０】
特許文献２のように、画像形成装置の筐体自体に吸音装置を形成すると、吸音装置を装置本体から取り外すことができず、吸音装置のメンテナンスや吸音する周波数の調整等が困難である。一方、本実施形態の複写機５００では装置本体に対して取り外しが可能なインナーカバー１０２に吸音装置６００を設けているため、インナーカバー１０２を取り外すことで吸音装置６００も取り外すことができる。よって、吸音装置６００のメンテナンスや吸音する周波数の調整等が容易である。
【００５１】
さらに、吸音装置が破損した場合、筐体自体に吸音装置を形成する構成では、吸音装置を交換するには筐体自体を取り替える必要がある。これに対して、本実施形態の複写機５００では、インナーカバー１０２を取り外して、吸音装置６００を取り外すことで吸音装置６００のみを交換することができる。また、吸音装置６００の少なくとも一部がインナーカバー１０２と一体的に形成されている構成では、インナーカバー１０２を交換することで吸音装置６００の交換を行うことができる。
【００５２】
また、本実施形態の複写機５００が備える吸音装置６００は樹脂製である。吸音装置６００を形成する材料は特に限定するものではなく、特許文献２のように、金属材料を用いてもよい。しかし、樹脂材料の方が加工が容易であり、部品精度の向上を図ることができ、吸音する対象の周波数に対して、空洞部６０１の体積Ｖ、連通部６０３の長さＨ及び連通部６０３の開口面積Ｓ等を適切な値に設定でき、所望の吸音効果を得易くなる。
【００５３】
図９は、ヘルムホルツ共鳴器を用いた吸音装置６００をインナーカバー１０２と一体に設けた構成の説明図である。
インナーカバー１０２は、前面開閉カバー１０１を開放すると露出するインナーおもて面１０２ｆに対して裏側となるインナー裏面１０２ｒ側に吸音装置６００を備えている。図９に示す構成では、インナーカバー１０２のインナー裏面１０２ｒから突き出すように形成されたリブ１２０と連通部６０３が形成された蓋部１２２とを備えた吸音装置６００全体をブロー成形や溶着等によりインナーカバー１０２と一体としている。インナーカバー１０２と吸音装置６００とを一体とした場合、吸音装置６００における空洞部６０１の容積が決定してしまうため、調整ができなくなるが、部品点数の削減等でコストメリットがあるため、安価にしたい場合は一体とした方が良い。
【００５４】
図１０は、ヘルムホルツ共鳴器を用いた吸音装置６００を、インナーカバー１０２と一体に形成させたリブ１２０と吸音カバー部材６２０とによって形成する構成の説明図である。
図１０に示す構成では、インナーカバー１０２のインナー裏面１０２ｒから突き出すように形成されたリブ１２０に対して、図９に示す構成とは異なり、連通部６０３が形成された吸音カバー部材６２０を別部材とした構成である。吸音カバー部材６２０を別部材とした場合、吸音カバー部材６２０の形状を異ならせることで、吸音装置６００における空洞部６０１の容積を微調整することが可能となる。これにより、対象とする周波数を変更したい場合、吸音カバー部材６２０の形状の形状を小修正するだけで、吸音装置６００のチューニングが可能となる。
なお、図９及び図１０に示す構成では、リブ１２０は、インナーカバー１０２を補強する機能と、ヘルムホルツ共鳴器における空洞部６０１の壁面を形成する機能とを備える。
【００５５】
図１１は、複写機５００のインナーカバー１０２の内側に複数の吸音装置６００を配置し、隣り合う吸音装置６００同士の間に空間Ｔを形成し、インナーカバー１０２におけるこの空間Ｔと対向する箇所に貫通口１０２ｃを設けた構成の説明図である。図１１（ａ）は、インナーカバー１０２とレーザー書込装置４７との位置関係を模式的に示した上面図、図１１（ｂ）は、貫通口１０２ｃを設けたインナーカバー１０２の正面図である。
【００５６】
図１１に示す構成では、レーザー書込装置４７の近傍に吸音装置６００を設置している。ヘルムホルツ共鳴器を用いた吸音装置６００を複数配置する構成の場合、吸音装置６００が隣同士で密着していると共鳴が生じ、所望の吸音効果を得ることができなくなるおそれがある。
図１１に示す構成では、隣り合う吸音装置６００を空間Ｔだけ離して設置しているため、所望の吸音効果を得ることができる。
【００５７】
さらに、空間Ｔとなる部分と、レーザー書込装置４７のガラス部材４７ａとが直線上となるような位置関係に配置した場合、図１１に示すように、空間Ｔと対向する位置のインナーカバー１０２に貫通口１０２ｃを設けてもよい。このような位置に貫通口１０２ｃを設けることで、インナーカバー１０２を取り外すことなく、インナーカバー１０２の外側からレーザー書込装置４７のガラス部材４７ａにアクセスすることが可能となる。
また、ヘルムホルツ共鳴器を形成する部分よりも外側となる空間Ｔと対向する位置のインナーカバー１０２に貫通口１０２ｃを設けているため、貫通口１０２ｃを備える構成であっても吸音効果に影響の低下を防止することができる。
【００５８】
図１２は、図１１に示す構成を備えた複写機５００において、レーザー書込装置４７のガラス部材４７ａを清掃する状態を模式的に示した上面図である。
図１２に示すように、インナーカバー１０２に設けた貫通口１０２ｃからレーザー書込装置４７のガラス部材４７ａを清掃するため専用のガラス清掃用部材７００を挿入し、ガラス部材４７ａの表面を清掃する。ガラス清掃用部材７００の先端には、ガラスを清掃するための柔らかい部分があり、ガラス清掃用部材７００を図１２中の矢印γのように往復させてガラス部材４７ａを清掃する。
【００５９】
さらに、複写機５００の動作中の状態（インナーカバー１０２の外側に設けた前面開閉カバー１０１が閉じている状態）では、インナーカバー１０２に設けた貫通口１０２ｃは開口部となっている。これにより、インナーカバー１０２と前面開閉カバー１０１との隙間を流れる自然対流により、レーザー書込装置４７を冷却することができる。
【００６０】
以上に説明したものは一例であり、本発明は、次の態様毎に特有の効果を奏する。
（態様Ａ）
吸音装置６００等のヘルムホルツ共鳴器を用いた吸音装置を有する複写機５００等の画像形成装置において、装置本体に対して開閉自在な前面開閉カバー１０１等の外装開閉カバーを開放することによってインナーおもて面１０２ｆ等の外側の面が露出するインナーカバー１０２等の内装カバーのインナー裏面１０２ｒ等の内側の面に吸音装置を設ける。
これによれば、上記実施形態について説明したように、内装カバーの内側の面に吸音装置を設けているため、使用者が外装開閉カバーを開放してもヘルムホルツ共鳴器を用いた吸音装置を露出させることを抑制できる。また、外装開閉カバーではなく内装カバーに吸音装置を設けているため、吸音装置を設けることに起因して外装開閉カバーが重くなることがなく、吸音装置を備える構成であっても外装開閉カバーの操作性の低下を抑制できる。さらに、外装開閉カバーの内側に配置された内装カバーに吸音装置を設けているため、外装開閉カバーを設けた面から音が漏れ出ることを抑制することができる。
このように態様Ａによれば、外装開閉カバーの操作性の低下や、ヘルムホルツ共鳴器の連通部の露出を抑制しつつ、外装開閉カバーを設けた面から音が漏れ出ることを抑制することができる。
【００６１】
（態様Ｂ）
態様Ａにおいて、インナーカバー１０２等の内装カバーの内側の面から装置内側に対して突き出し、空洞部６０１等のヘルムホルツ共鳴器の空洞部の壁面を形成するリブ１２０等の壁部を内装カバーに設け、壁部の突き出し方向の先端側を覆う吸音カバー部材６２０等の蓋部材を装着することで、吸音装置を形成する。
これによれば、上記実施形態について説明したように、吸音装置の空洞部を壁面を形成する壁部を内装カバーと一体的に形成することで、部品点数の削減を図ることができ、吸音装置を設ける構成のコストの上昇を抑制することができる。また、蓋部を別部材とすることにより、吸音の対象とする周波数を変更したい場合、蓋部の形状の形状を小修正するだけで、吸音装置のチューニングが可能となる。
【００６２】
（態様Ｃ）
態様ＡまたはＢの何れかの態様において、インナーカバー１０２等の内装カバーの内側の空間における空洞部６０１等のヘルムホルツ共鳴器の空洞部の壁面を形成するリブ１２０等の壁部よりも外側となる空間Ｔ等の空間と、内装カバーの外側の空間とを連通するように内装カバーを貫通する貫通口１０２ｃ等の内装カバー貫通穴を有する。
これによれば、上記実施形態について説明したように、ヘルムホルツ共鳴器を形成する部分よりも外側の空間と対向する位置の内装カバーに内装カバー貫通穴を設けているため、内装カバー貫通穴を備える構成であっても吸音効果の低下を防止することができる。さらに、内装カバー貫通穴を設けることで、内装カバーを外すことなく、レーザー書込装置４７のガラス部材４７ａの清掃等、内装カバーの内側にアクセスすることが可能となる。
【００６３】
（態様Ｄ）
態様Ｄにおいて、インナーカバー１０２等の内装カバーのインナー裏面１０２ｒ等の内側の面に複数の吸音装置６００等の吸音装置を備え、複数の吸音装置のうちの隣り合う二つの吸音装置のリブ１２０等の壁部が空間Ｔ等の隙間を有するように配置され、貫通口１０２ｃ等の内装カバー貫通穴はこの隙間と内装カバーの外側の空間とを連通する。
これによれば、上記実施形態について説明したように、隣り合う吸音装置同士を空間を開けて設置しているため、吸音装置同士の共鳴を防止し、共鳴に起因する吸音効果の低下を防止できる。また、共鳴を防止する作用を有する空間と対向する部分の内装カバーの部分に内装カバー貫通穴を設けることで、内装カバーを外すことなく、内装カバーの内側にアクセスできる構成の省スペース化を図ることができる。
【符号の説明】
【００６４】
８  感光体クリーニングブレード
９  除電ランプ
１０  感光体
１１  帯電装置
１２  現像装置
１３  転写ユニット
１４  クリーニング装置
１５  第一ベルト張架ローラ
１６  第二ベルト張架ローラ
１７  転写ベルト
１８  クリーニングブレード
２０  トナー補給装置
２０ａ  ボトルセット穴
２１  レジストローラ対
２２  熱定着装置
３０  加熱ローラ
３２  加圧ローラ
３４  排出分岐爪
３５  排出ローラ
３６  第一加圧ローラ
３７  第二加圧ローラ
３８  コシ付ローラ
３９  排出スタック部
４２  スイッチバック装置
４３  スイッチバックローラ対
４４  スイッチバック位置
４７  レーザー書込装置
４７ａ  ガラス部材
４８  ポリゴンミラー
４９  ポリゴンモータ
５３  光源
５４  ミラー
５５  結像用光学レンズ
５６  イメージセンサ
５７  コンタクトガラス
６０  記録紙搬送装置
６１  記録紙カセット
６１ａ  記録紙カセット外装カバー
６２  呼出ローラ
６３  供給ローラ
６４  分離ローラ
６６  記録紙搬送ローラ対
６７  手差しトレイ
６８  手差し給紙部
１００  複写機本体
１０１  前面開閉カバー
１０２  インナーカバー
１０２ａ  前面上部インナーカバー
１０２ｂ  前面下部インナーカバー
１０２ｃ  貫通口
１０２ｆ  インナーおもて面
１０２ｒ  インナー裏面
１０３  左側面外装カバー
１２０  リブ
１２１  現像ローラ
１２２  蓋部
１６０  吸音装置設置部
２００  画像読取装置
３００  記録紙バンク
４００  自動原稿搬送装置
４７０  書込装置保持フレーム
５００  複写機
５１０  前面筐体
５１０ａ  吸音装置設置用開口部
５２０  左側面筐体
５３０  後面筐体
６００  吸音装置
６０１  空洞部
６０２  開口部
６０３  連通部
６１０  吸音本体部材
６２０  吸音カバー部材
６３０  吸音キャップ部材
７００  ガラス清掃用部材
Ｂ  転写位置
Ｃ  転写ベルトクリーニング部
Ｐ  記録紙
Ｒ  記録紙搬送路
Ｒ１  供給路
Ｒ２  手差し供給路
Ｒ３  反転路
Ｒ４  再搬送路
Ｓ  開口面積
Ｔ  空間
Ｖ  体積
【先行技術文献】
【特許文献】
【００６５】
【特許文献１】特開２０００−２３５３９６号公報
【特許文献２】特開２０００−１１２３０６号公報
【図１】
2015169764.tif 000005
【図２】
2015169764.tif 000006
【図３】
2015169764.tif 000007
【図４】
2015169764.tif 000008
【図５】
2015169764.tif 000009
【図６】
2015169764.tif 000010
【図７】
2015169764.tif 000011
【図８】
2015169764.tif 000012
【図９】
2015169764.tif 000013
【図１０】
2015169764.tif 000014
【図１１】
2015169764.tif 000015
【図１２】
2015169764.tif 000016